(57)【要約】  電解液が漏洩することがない、信頼性の高い封止部を持つ色素増感型太陽電池を提供する。  透明なガラスよりなる管状容器１１の内面に形成された透明導電膜１２と、透明導電膜１２上に形成された、色素が吸着された半導体膜よりなる光電極１３と、光電極１３と離間した状態で管状容器内に設けられた対向電極１５とを備え、管状容器１１は、内部に電解液１４が密封され、両端が封止されてなる色素増感型太陽電池１において、管状容器１１は、ガラス材よりなる封止管２１を備え、封止管２１の内端側の外周面部が管状容器１１の内周面部に全周にわたって接着して封止されており、封止管２１の外端側には外方に突出する封止部２１９が形成されており、この封止部２１９から対向電極１５に接続されたリード１８が管状容器の外部に導出され、管状容器１１の少なくとも一方の端部には、透明導電膜１２が延在して外部に露出したリード部１２Ａが形成されている。
2011070911.tif 000002
【特許請求の範囲】
【請求項１】
透明なガラスよりなる管状容器の内面に形成された透明導電膜と、該透明導電膜上に形成された、色素が吸着された半導体膜よりなる光電極と、該光電極と離間した状態で管状容器内に設けられた対向電極とを備え、該管状容器は、内部に電解液が密封され、両端が封止されてなる色素増感型太陽電池において、
前記管状容器は、ガラス材よりなる封止管を備え、
該封止管の内端側の外周面部が管状容器の内周面部に全周にわたって接着して封止されており、
該封止管の外端側には外方に突出する封止部が形成されており、この封止部から前記対向電極に接続されたリードが管状容器の外部に導出され、
前記管状容器の少なくとも一方の端部には、前記透明導電膜が延在して外部に露出したリード部が形成されていることを特徴とする色素増感型太陽電池。
【請求項２】
透明なガラスよりなる管状容器の内面の一部に形成された透明導電膜と、該透明導電膜上に形成された、色素が吸着された半導体膜よりなる光電極と、該光電極と離間した対向電極とを備え、該管状容器は、内部に電解液が密封され、両端が封止されてなる色素増感型太陽電池において、
前記管状容器は、ガラス材よりなる封止管を備え、
前記対向電極は管状容器の内面に形成された導電性薄膜よりなり、
該封止管の内端側の外周面部が管状容器の内周面部に全周にわたって接着して封止されており、
該封止管の外端側には外方に突出する封止部が形成されており、
前記管状容器の一方の端部に前記透明導電膜が延在して外部に露出した一方のリード部が形成されていると共に、前記管状容器の一方の端部または他方の端部に、前記対向電極に係る導電性薄膜が延在して外部に露出した他方のリード部が形成されていることを特徴とする色素増感型太陽電池。
【発明の詳細な説明】
【技術分野】
【０００１】
この発明は、色素増感型太陽電池に関する。特に、透光性の管状容器を有する色素増感型太陽電池に関する。
【背景技術】
【０００２】
従来から、地球環境に対する影響の少ない新たなエネルギー源として太陽電池の開発が行われている。中でも、シリコン半導体を用いた太陽電池は、高い変換効率と優れた光安定性とを有しており、広く一般に普及している。しかしながら、製造に際して高温高真空の条件が必要であり、大面積化が容易ではなく製造コストが高いといった問題があった。【０００３】
一方、透明な容器の内部に電解液を充填し、色素を吸着させた多孔質半導体からなる光電極と対向電極とが設けられてなり、太陽光を照射された色素が電子を放出することを利用して電気エネルギーを取り出すことができる色素増感型太陽電池が知られている（特許文献１）。
この種の太陽電池には、製造のために高真空なチャンバーなどが不要であり、設備面での負担が少なく、安価に製造できるという利点がある。【０００４】
図６（ａ）は、特許文献１に示された従来の色素増感型太陽電池の管軸方向で切断した断面図、図６（ｂ）は、そのＺ−Ｚ’線断面図である。
太陽電池８は、透明材料からなる管８１の内面に、透明導電層８２、色素を吸着させた色素増感多孔質半導体層８３、および電解質層８４が順次設けられており、管８１の内部には管軸に沿って対極８５が挿入されている。対極８５の一端部８５ｂは管８１より外方に突出している。管８１の一端部８１ｂと対極８５の一端部８５ｂとの間、および管８１の他端部８１ａと対極８５の他端部８５ａとの間は、例えばエポキシ樹脂よりなる封止部材８６により、絶縁されるとともに封止され、電解質層８４の電解液が管８１の外部に漏れないようになっている。対極８５および透明導電層８２には、それぞれリード線８７、８８が接続されている。【０００５】
この太陽電池８に太陽光が照射されると、太陽光は、管８１および透明導電層８２を透過して、色素増感多孔質半導体層８３に到達し、光化学反応が生じて色素が電子を放出し、これによりリード線８７、８８間に起電力が発生する。
特に、この構造においては、容器が円管状であることにより、光の入射角度に対する発電量の変化を大幅に低減することができる。
【先行技術文献】
【特許文献】
【０００６】
【特許文献１】特開２００７−１２５４５号公報
【発明の概要】
【発明が解決しようとする課題】
【０００７】
ところで、この種の色素増感型の太陽電池の封止は、絶縁を達成することが必要であることから、上記のように樹脂よりなる封止部材によって行われている。しかしながら、太陽光は紫外線を含む光であり、樹脂は紫外線にさらされることにより、使用時間が経つにつれて劣化する。そのため、内部に充填された電解液が漏洩するといった問題があった。【０００８】
以上の事情から、本発明は、電解液が漏洩することがない、信頼性の高い封止部を持つ色素増感型太陽電池を提供することを目的とする。
【課題を解決するための手段】
【０００９】
上記課題を解決するため、本発明の色素増感型太陽電池は、透明なガラスよりなる管状容器の内面に形成された透明導電膜と、該透明導電膜上に形成された、色素が吸着された半導体膜よりなる光電極と、該光電極と離間した状態で管状容器内に設けられた対向電極とを備え、該管状容器は、内部に電解液が密封され、両端が封止されてなる色素増感型太陽電池において、
前記管状容器は、ガラス材よりなる封止管を備え、
該封止管の内端側の外周面部が管状容器の内周面部に全周にわたって接着して封止されており、
該封止管の外端側には外方に突出する封止部が形成されており、この封止部から前記対向電極に接続されたリードが管状容器の外部に導出され、
前記管状容器の少なくとも一方の端部には、前記透明導電膜が延在して外部に露出したリード部が形成されていることを特徴とする。【００１０】
また、本発明は、透明なガラスよりなる管状容器の内面の一部に形成された透明導電膜と、該透明導電膜上に形成された、色素が吸着された半導体膜よりなる光電極と、該光電極と離間した対向電極とを備え、該管状容器は、内部に電解液が密封され、両端が封止されてなる色素増感型太陽電池において、
前記管状容器は、ガラス材よりなる封止管を備え、
前記対向電極は管状容器の内面に形成された導電性薄膜よりなり、
該封止管の内端側の外周面部が管状容器の内周面部に全周にわたって接着して封止されており、
該封止管の外端側には外方に突出する封止部が形成されており、
前記管状容器の一方の端部に前記透明導電膜が延在して外部に露出した一方のリード部が形成されていると共に、前記管状容器の一方の端部または他方の端部に、前記対向電極に係る導電性薄膜が延在して外部に露出した他方のリード部が形成されていることを特徴とする。
【発明の効果】
【００１１】
本発明によれば、管状容器の端部は、ガラスが接着して気密に封止された封止部を有する封止管により封止されているので、内部に充填された電解液が漏洩することがない。
そして、封止管はガラスにより形成されているので、樹脂のように太陽光に含まれる紫外線が照射されても劣化することはなく、長期間にわたって安定して使用することができる。
また、封止管を形成するための封止管部材の一端に形成された開口を介して電解液の注入を行うことができるため、管状容器形成用ガラス管の外周に電解液の注入管を別途形成する必要がない。【００１２】
また、本発明によれば、管状容器の内周面に形成された透明導電膜および対向電極を形成する導電性薄膜は、管状容器の外部に露出する領域にまで延在しており、この延在したリード部に外部リードを接続すればよいので、内部に独立した部材としての対向電極体を挿入する必要がなく、簡単な構造であり、製造が容易である。
【図面の簡単な説明】
【００１３】
【図１】本発明の第１の実施例にかかる色素増感型太陽電池を示す図であり、図１（ａ）は管軸方向に沿って切断した断面図、図１（ｂ）は径方向に沿って切断した、図１（ａ）のＡ−Ａ’線断面図である。
【図２】本発明にかかる色素増感型態様電池の封止に用いられる封止管部材を示す図であり、図２（ａ）は管軸に沿って切断した説明用断面図、図２（ｂ）は図２（ａ）の左側面図であり、図２（ｃ）は封止管部材の他の例を示す説明用断面図である。
【図３】図３（ａ）〜図３（ｃ）は、管状容器形成用ガラス管の両端を封止する方法を工程順に示す説明用断面図である。
【図４】図４（ａ）および図４（ｂ）は、管状容器の内部に電解液を充填する方法を工程順に示す説明用断面図である。
【図５】本発明の第２の実施例にかかる色素増感型太陽電池を示す図であり、図５（ａ）は管軸方向に沿って切断した断面図、図５（ｂ）は径方向に沿って切断した、図５（ａ）のＢ−Ｂ’線断面図である。
【図６】従来例にかかる色素増感型太陽電池について示す図であり、図６（ａ）は管軸方向に沿って切断した断面図、図６（ｂ）は径方向に沿って切断した、図６（ａ）のＺ−Ｚ’線断面図である。
【発明を実施するための形態】
【００１４】
以下に、図面を参照しながら説明する。
図１（ａ）は、本発明の第１の実施例にかかる色素増感型太陽電池を管軸方向で切断した断面図を、図１（ｂ）は、管径方向に沿って切断した、図１（ａ）のＡ−Ａ’断面図を示す。
図に示したように、管状容器１１の内面に、透明導電膜１２と、光電極１３とが設けられている。また、管状容器１１の内部には、その長手方向に沿って対向電極１５が配置されている。管状容器１１の両端は封止され、内部には電解液１４が充填されている。以下に、個々の構成について具体的に説明する。
【００１５】
太陽電池１を構成する管状容器１１は、例えばガラスである透光性材料よりなる。管状容器１１の断面形状は、円形状、楕円形状、矩形状など、いずれの形状でもよい。
管状容器１１を構成するガラスの種類としては、石英ガラス、ソーダガラスなどが好適に用いられる。
【００１６】
管状容器１１の内周面には、全周にわたって透明導電膜１２が形成されている。透明導電膜１２は、インジウム（Ｉｎ）−スズ（Ｓｎ）複合酸化物（ＩＴＯ（フッ素がドープされたものを含む））、酸化亜鉛（ＺｎＯ）、酸化スズなどの金属酸化物による薄膜が好適に用いられる。さらに透明導電膜１２は、これらを組み合わせて２種類以上の材質によって構成してもよい。
【００１７】
また、透明導電膜１２は、金属をメッシュ状、ストライプ状などに形成して、光通過孔により光が透過できるようにした金属電極でも代わりとして用いることもできる。
【００１８】
透明導電膜１２上には、太陽光を光電変換するための光電極１３が設けられている。光電極１３は、増感色素が吸着された半導体層である。
半導体層は、例えば、金属酸化物または金属硫化物である半導体微粒子を堆積させて形成した多孔質の薄膜である。
材料として、金属酸化物の場合は、例えば、酸化チタン、酸化スズ、酸化亜鉛、酸化ニオブ、酸化タンタル、または酸化ジルコニウム等を用いることができる。さらに、チタン酸ストロンチウム、チタン酸カルシウム、チタン酸バリウム等の複合酸化物を用いることもできる。
金属硫化物の場合は、例えば、硫化亜鉛、硫化鉛、硫化ビスマス等を用いることができる。
【００１９】
半導体層を形成するには、上記金属酸化物、金属硫化物の微粒子を含有するペーストを、透明導電膜の表面に塗布し、焼成することにより作成することができる。
また、半導体層を多孔質とするためには、例えば、ゾルゲル法や、スパッタ法、あるいは焼結等を用いることができる。
ペーストの塗布方法については、例えば、スクリーン印刷法、ドクターブレード法、スキージ法などを用いることができる。
【００２０】
半導体層に吸着される増感色素は、可視光領域、あるいはそれに加えて赤外光領域に吸収を持つ、金属錯体や有機色素などの色素である。
金属錯体としては、例えば、銅フタロシアニン、チタニルフタロシアニン等の金属フタロシアニン、クロロフィル、ヘミン、もしくはそれらの誘導体、ルテニウム、オスミウム、鉄、または亜鉛の錯体などを用いることができる。
有機色素としては、例えば、メタルフリーフタロシアニン、シアニン系色素、メタロシアニン系色素、キサンテン系色素、トリフェニルメタン系色素、フタロシアニン系色素、ナフタロシアニン系色素、フタロ／ナフタロ混合フタロシアニン系色素、ジピリジルルテニウム錯体色素、ターピリジルルテニウム錯体色素、フェナントロリンルテニウム錯体色素、フェニルキサンテン色素、トリフェニルメタン色素、クマリン色素、アクリジン色素、またはアゾ金属錯体色素などを用いることができる。
【００２１】
増感色素は、上記の半導体層の表面に付着している。付着の形態については、化学吸着、物理吸着、または堆積など、どのような付着形態でもよい。付着させる方法としては、例えば増感色素を含む溶液中に、半導体層を形成する多孔質膜を浸漬した後、加熱する方法がある。
【００２２】
管状容器１１の内部に充填される電解液１４としては、Ｉ- ／Ｉ3-系、Ｂｒ- ／Ｂｒ3-系、キノン／ハイドロキノン系などのレドックス電解質を、アセトニトリル、炭酸プロピレン、エチレンカーボネートなどの、電気化学的に不活性な溶媒、またはこれらの混合溶媒に溶かした電解液が使用できる。例えば、Ｉ- ／Ｉ3-系の電解液としては、ヨウ素のアンモニウム塩、またはヨウ化リチウムとヨウ素を混合したものを用いることができる。
【００２３】
光電極１３に対する対向電極１５は、導電性を有するものであればよく、例えば、白金、ロジウム、ルテニウム、酸化ルテニウム、カーボン等が好適である。これらの導電性材料は、電解液の還元反応を十分な速さで行わせる触媒能を持っており、好適に用いることができる。対向電極１５の形状は、棒状、筒状など適宜の形状とすることができる。
また、これらの触媒能をもつ導電性材料の薄膜を表面に形成した、金属管、金属棒、ガラス管、ガラス棒などを対向電極として用いることができる。この対向電極１５に対する電気的接続は、例えば銀ロウなどによりロウ付けされた外部リード１８によっておこなわれる。
【００２４】
対向電極１５は、管状容器１１の内周面において、絶縁体１９によって保持されている。この絶縁体１９は、例えばリング状のガラス部材であり、これにより、対向電極１５が、光電極１３と接触しないように離間した状態で配置される。
【００２５】
管状容器１１の両端には、封止管２１、２２が配置され、この封止管２１、２２の内端側の外周面部と管状容器１１の内周面部が全周にわたって接着されて封止部が形成されている。
図２は、本発明にかかる色素増感型太陽電池の封止に用いられる封止管部材を示す図であり、（ａ）は管軸に沿って切断した断面図、（ｂ）は左側面図である。図（ｃ）は、小径部の先に漏斗部を設けた場合の封止管部材の断面図である。
図２（ａ）に示すように、封止管部材２１Ａは、管状のガラスよりなり、胴部２１１と、この胴部２１１と一体に連続する、胴部２１１よりも小径の小径部２１２を有する。封止管部材２１Ａの小径部２１２は端部に開口２１３を有する。胴部２１１は、その外周面部の一部が管状容器１１を形成するガラス管の内周面部と接着される部分である。
【００２６】
開口２１３を有する小径部２１２は、電解液１４を注入したり、外部に導電部材を導出させた状態で封止するための部分である。このような小径部２１２は、封止管部材２１Ａを形成する直管状のガラス管の一端部を加熱して絞ることにより、または、ガラス管に他の小径ガラス管を接合することなどによって得られる。
小径部２１２を有することにより、これを利用して電解液１４を充填した後、加熱して封管することによって封止部を形成することができるのみでなく、その場合に、径が小さいため速やかに軟化し、封止することが容易だからである。
また、図２（ｃ）に示すように、封止管部材２１Ａには、小径部２１２の開口に漏斗部２１４を設けてもよい。
なお、リードの導出や電解液の注入が必要でない場合には、封止管部材２１Ａの代わりに、図示しないが、小径部２１２と開口の無い、有底のガラス製封止管を用いることもできる。
【００２７】
この封止管部材２１Ａを用いて、図１（ａ）に示すように管状容器を形成する手順は、以下の通りである。
図３は、管状容器形成用ガラス管１１Ａの両端を封止する方法について説明するための断面図である。
図３（ａ）に示すように、管状容器形成用ガラス管１１Ａの端部において、封止管部材２１Ａを、胴部２１１がガラス管１１Ａの内方に位置し、小径部２１２が外方に位置するように配置する。ここで、胴部２１１の外周面部は、ガラス管１１Ａの内周面に形成された透明導電膜１２に当接する状態、または近接した状態で挿入される。
【００２８】
次に、この封止管部材２１Ａの胴部２１１をバーナーＢＮによって加熱して軟化させ、溶けたガラスをガラス管１１Ａの内周面に付着させて固化させることにより接着させる。
封止管部材２１Ａの胴部２１１の厚みを、ガラス管１１Ａの厚みに比べて小さい所定の厚みに設定して熱容量が小さいものとしておくことにより、ガラス管１１Ａの外側から胴部２１１に対応する位置を加熱したときに、胴部２１１の外周面部表面が先に溶融して、透明導電膜１２が形成されているガラス管１１Ａの内面に付着する。そして、胴部２１１が冷却されるとガラスが固化して、封止管部材２１Ａとガラス管１１Ａとが気密に接着される。
管状容器形成用ガラス管１１Ａにおいて、接着されるべき領域は、図示されているように、ガラス管１１Ａの端部よりも内方に位置する領域部分である。これにより、透明導電膜１２の外端部分を外部に露出させることができ、この露出した透明導電膜１２の外端部分により、外部リード１７と接続させるリード部１２Ａを形成することができる。
【００２９】
上記の接着がガラス管１１Ａおよび封止管部材２１Ａの全周にわたって行われることにより、両者の間は密閉状態に封着される。
その後、ガラス管１１Ａの内部に対向電極１５を挿入して配置する。
そして、図３（ｂ）のように、封止管部材２１Ａの小径部２１２をバーナーＢＮにより加熱して溶融して封止することにより、封止部２１９が形成されて一端側の封止が完成する。この封止部２１９を介して、外部にリード線を導出させる場合、例えば対向電極１５より伸びる外部リード１８を導出させる場合には、封止される前の封止管部材２１Ａの開口２１３を介して当該リード線１８の外端部分を外部に出しておき、この状態で開口２１３の周囲の小径部２１２のガラスを溶融させ開口２１３を封止する。
小径部２１２の封止の際には、他端側からポンプ等によって排気することにより、ガラス管１１Ａの内部を減圧にしておくことで、小径部２１２の端部の溶融したガラスが開口２１３を閉じるように収縮するので、容易に封止部２１９を形成することができる。
【００３０】
次に図３（ｃ）に示すように、他端側にも封止管部材２１Ａと同様の封止管部材２２Ａを挿入して配置し、同様に封着する。
上記のようにして管状容器形成用ガラス管１１Ａの両端が封止されて管状容器１１が形成されるが、この時点では、他端側の封止管部材２２Ａの小径部の先端の開口は、電解液の注入のために開いた状態で残しておく。しかし管状容器１１の一端側において電解液１４の注入が行われる場合には、他端側の封止管部材２２Ａとしては、小径部を有しない有底のガラス製封止管を用いてもよい。
【００３１】
管状容器形成用ガラス管１１Ａの両端が封止管部材２１Ａ、２２Ａによって封止された後は、得られる管状容器１１の内部に電解液１４を充填する。図４は、管状容器の内部に電解液を充填する方法の一例について説明するための断面図である。
図４（ａ）に示すように、管状容器１１の他端部に封止管部材２２Ａが接着され封止されており、その小径部２２２が上側に位置されるように管軸方向が垂直となる状態で管状容器１１が保持される。そして、管状容器１１の内部を真空排気して、小径部２２２に連続する漏斗部２２４から、管状容器１１の内部に電解液１４を注入する。
【００３２】
図４（ｂ）に示すように、電解液１４が充分に注入されて管状容器１１内が満たされた後は、小径部２２２を封止する。具体的には、小径部２２２のガラスをバーナーＢＮにより加熱して溶融させ、小径部２２２の開口の周囲のガラスを接着させて封止する。
もし、電解液の注入部を、例えば管状容器の外周に設ける場合には、その領域には有効に光電極１３を形成することができない結果、発電面積が減少することとなる。しかし、上記のように封止管２２を電解液の注入に利用する場合には、当該封止管２２は、発電に寄与しない管状容器１１の端部に位置されることから、発電面積が犠牲にされることがなく、注入部を設けることによって発電量が減少するようなことはない。
なお、封止管２２に接続された漏斗部２２４は封止箇所で切断され、廃棄される。
【００３３】
再び図１に戻り、この色素増感型太陽電池の動作について説明する。外部から管状容器１１に入射した光は、この管状容器１１と透明導電膜１２を透過し、光電極１３に照射される。すると、光電極１３の半導体層に吸着された色素が励起されて電子を発生する。この電子は、色素から半導体層に受け渡される。電子を失った色素は、電解液１４のイオンから電子を受け取り、この電子を渡した電解質分子は、対向電極から電子を受けとる。こうして、外部リード１７、１８間に起電力が発生する。
【００３４】
本発明のように、形状が管状、特に円管状である色素増感型太陽電池については、以下のような利点がある。
まず、発電のエネルギー源となる太陽は、時間とともに移動する。太陽電池は載置された状態で使用されることが通常であるから、容器の形状が平板状であると、太陽光の入射角は時間とともに変動し、これに応じて光電変換効率が大きく変動して安定した電力が得られない。
然るに、容器が円管状である場合には、適宜の方向に配置すると、光電変換効率の太陽光の入射角に対する依存性を小さくすることができるので、発電量の変動を小さくすることができる。
また、同じ設置面積であれば、平板状の太陽電池よりも光電極の総面積が大きいという利点がある。
【００３５】
以上のように、封止管により封止された管状容器による太陽電池の構成においては、管状容器の端部はガラスが接着することにより気密に封止されているので、内部に充填された電解液が漏洩することがない。
そして、封止管はガラスにより形成されているので、樹脂のように、太陽光に含まれる紫外線が照射されても劣化することはなく、長期間にわたって安定して使用することができる。
【００３６】
また、封止管を形成する封止管部材として、その一端に開口が形成されたものを用いることにより、この開口を介して電解液の注入を行うことができる。そのため、管状容器の外周に電解液の注入管を別途形成する必要がない。
【００３７】
次に、本発明の第２の実施例について説明する。
図５（ａ）は、本発明の第２の実施例にかかる色素増感型太陽電池を管軸方向で切断した断面図、図５（ｂ）は管径方向に沿って切断した、図５（ａ）のＢ−Ｂ’断面図を示す。
この実施例においては、図１に示した第１の実施例に対して、光電極１３の配置領域、および対向電極１５の構成とその配置領域のみが異なる。これ以外の構成については第１の実施例と同一であるから説明を省略する。
【００３８】
図５（ａ）に示すように、管状容器１１の内周面の略半周領域（図の上側領域）に透明導電膜１２が形成されている。透明導電膜１２上には、光電極１３が形成されている。
一方、管状容器１１の内周面の他の略半周領域（図の下側領域）には、導電性薄膜よりなる対向電極１５が形成されている。対向電極１５は、例えば白金、ロジウム、ルテニウム、酸化ルテニウム、カーボン等の蒸着膜である。
【００３９】
図５（ｂ）に示すように、透明導電膜１２および光電極１３と、対向電極１５とは、管状容器１１の内面に、略半周にわたって形成されているとともに、周方向において互いに離間している。そして、管状容器１１の内部は電解液１４で満たされている。
【００４０】
この実施例における、管状容器を封止する手順は以下の通りである。
内面に、透明導電膜１２、光電極１３および対向電極１５が形成された状態の管状容器１１のためのガラス管の両端に封止管２１、２２のための封止管部材を配置する。そして、第１の実施例と同様に封止管部材の胴部の外周面部を、全周にわたって透明導電膜１２、対向電極１５および両者間の管状容器１１の内面の露出した部分に接着させる。
この構成では、封止管を介して外部リードを導出する必要はないので、一方の封止管２１の封止管部材としては、開口が封止されたもの、または有底の封止管部材を用いることができる。
【００４１】
次に、他方の封止管２２のための封止管部材の開口から管状容器１１の内部に電解液１４を注入する。管状容器１１の内部を電解液１４で満たした後、封止管部材の小径部を封止して封止部２２９が形成される。このようにして封止された管状容器１１が形成される。
【００４２】
透明導電膜１２と対向電極１５は、管状容器１１の端部にまで延在しており、外部に露出する部分によりリード部が形成されている。この管状容器１１の端部に露出した透明導電膜１２と対向電極１５のリード部１２Ａ、１５Ａのそれぞれに外部リード１７、１８が接続され、ここから起電力の取り出しがなされる。
【００４３】
この実施例においても、管状容器の端部はガラスよりなる封止管が接着して気密に封止されており、内部に充填された電解液が漏洩することがない。そして、封止部の構成に樹脂を使用していないので、紫外線が照射されても劣化することはない。
【００４４】
また、透明導電膜と対向電極とが管状容器の外部に露出するまで延在しており、この露出部をリード部として外部リードを接続すればよいので、内部にリード線を挿入する必要がなく、簡単な構造であり、製造が容易である。  電解液の注入も、封止管の開口を通じて行うことができ、管状容器の外部に別途注入管を形成する必要がない。
【符号の説明】
【００４５】
１      太陽電池
１１    管状容器
１１Ａ  ガラス管
１２    透明導電膜
１２Ａ  リード部
１３    光電極
１４    電解液
１５    対向電極
１５Ａ  リード部
１７    外部リード
１８    外部リード
１９    絶縁体
２１    封止管
２１Ａ  封止管部材
２１１  胴部
２１２  小径部
２１３  開口
２１４  漏斗部
２１９  封止部
２２    封止管
２２Ａ  封止管部材
２２２  小径部
２２４  漏斗部
２２９  封止部
ＢＮ    バーナー
【図１】
2011070911.tif 000003
【図２】
2011070911.tif 000004
【図３】
2011070911.tif 000005
【図４】
2011070911.tif 000006
【図５】
2011070911.tif 000007
【図６】
2011070911.tif 000008
【国際調査報告】
2011070911.tif 000009
2011070911.tif 000010
2011070911.tif 000011
2011070911.tif 000012